(57)【要約】移動局装置と通信する、８アンテナを備えた基地局装置が備える電力調整部は、基地局装置毎に定められる参照信号の電力と移動局装置毎に定められる参照信号の電力とコントロール信号の電力とデータ信号の電力とに関する情報からなる、図５に記載の電力調整値に基づいて、基地局装置毎に定められる参照信号の電力と移動局装置毎に定められる参照信号の電力とコントロール信号の電力とデータ信号の電力とを調整する機能を備え、送信部は、移動局装置に対してデータ信号の電力を報知する機能を備える。これにより８アンテナを備える基地局装置から移動局装置に対してデータ信号の電力を報知することができる。
2010087075.tif 000002
【特許請求の範囲】
【請求項１】
８アンテナを備える基地局装置と、１アンテナもしくは複数のアンテナを備える移動局装置と、を有する通信システムであって、
前記基地局装置は、
リソースブロックに対する前記基地局装置毎に定められる参照信号の配置と前記移動局装置毎に定められる参照信号の配置とコントロール信号の配置とデータ信号の配置とについて示される信号配置パターンに基づいて、前記基地局装置毎に定められる参照信号と前記移動局装置毎に定められる参照信号とコントロール信号とデータ信号とをリソースブロックに配置する信号配置部と、
前記基地局装置毎に定められる参照信号の電力と前記移動局装置毎に定められる参照信号の電力とコントロール信号の電力とデータ信号の電力とについて示される電力調整パターンに基づいて、前記基地局装置毎に定められる参照信号の電力と前記移動局装置毎に定められる参照信号の電力とコントロール信号の電力とデータ信号の電力とを調整する電力調整部と、
リソースブロックを前記移動局装置に送信する送信部と、
を備え、
前記移動局装置は、
前記基地局装置から送信されたリソースブロックを受信する受信部と、
前記基地局装置毎に定められる参照信号と前記移動局装置毎に定められる参照信号とから算出されるチャネル特性と電力調整パターンとに基づいて、復調のための重みを算出する重み算出部と、
算出された重みに基づいて、コントロール信号とデータ信号とを復調する復調部と、
を備えることを特徴とする通信システム。
【請求項２】
前記電力調整部において、コントロール信号の電力とデータ信号の電力とは、ＯＦＤＭシンボル毎に一定とすることを特徴とする請求項１に記載の通信システム。
【請求項３】
前記電力調整部において、前記基地局装置毎に定められる参照信号と前記移動局装置毎に定められる参照信号との送信に用いるサブキャリアの電力は一定とすることを特徴とする請求項１または２に記載の通信システム。
【請求項４】
前記電力調整部において、前記基地局装置毎に定められる参照信号と前記移動局装置毎に定められる参照信号とが含まれるＯＦＤＭシンボルにおいて、前記基地局装置毎に定められる参照信号と前記移動局装置毎に定められる参照信号とを送信するアンテナの送信電力と、前記基地局装置毎に定められる参照信号と前記移動局装置毎に定められる参照信号とを含まないＯＦＤＭシンボルにおける各アンテナの送信電力と、は等しいことを特徴とする請求項１から３までのいずれか１項に記載の通信システム。
【請求項５】
前記電力調整部において、前記基地局装置毎に定められる参照信号の電力と前記移動局装置毎に定められる参照信号の電力との変化に応じて、前記基地局装置毎に定められる参照信号と前記移動局装置毎に定められる参照信号とが含まれるＯＦＤＭシンボル内のコントロール信号の電力とデータ信号の電力とを変化させることを特徴とする請求項１から４までのいずれか１項に記載の通信システム。
【請求項６】
前記電力調整部において、基地局装置毎に定められる参照信号と移動局装置毎に定められる参照信号とが含まれるＯＦＤＭシンボルにおいて、コントロール信号とデータ信号との送信に用いるサブキャリアの電力が一定となるよう、基地局装置毎に定められる参照信号と移動局装置毎に定められる参照信号とを送信しないアンテナから送信されるコントロール信号の電力とデータ信号の電力とを調整することを特徴とする請求項１から請求項５までのいずれか１項に記載の通信システム。
【請求項７】
前記信号配置部において、１アンテナもしくは複数のアンテナから同時に、同一のサブキャリアを用いて前記基地局装置毎に定められる参照信号と前記移動局装置毎に定められる参照信号とが送信されることを特徴とする請求項１から６までのいずれか１項に記載の通信システム。
【請求項８】
請求項１から７までのいずれか１項に記載の通信システムにおける基地局装置であって、前記基地局装置毎に定められる参照信号と前記移動局装置毎に定められる参照信号とが含まれるＯＦＤＭシンボル内のデータ信号の電力と、前記基地局装置毎に定められる参照信号と前記移動局装置毎に定められる参照信号とを含まないＯＦＤＭシンボル内のデータ信号の電力との比を、前記基地局装置毎に定められる値として前記移動局装置に報知することを特徴とする基地局装置。
【請求項９】
請求項１から７までのいずれか１項に記載の通信システムにおける基地局装置であって、前記基地局装置毎に定められる参照信号の電力と、前記基地局装置毎に定められる参照信号と前記移動局装置毎に定められる参照信号とを含まないＯＦＤＭシンボル内のデータ信号の電力との比を、前記移動局装置毎に定められる値として前記移動局装置に報知することを特徴とする基地局装置。
【請求項１０】
請求項１から７までのいずれか１項に記載の通信システムにおける基地局装置であって、前記基地局装置毎に定められる参照信号と前記移動局装置毎に定められる参照信号とが含まれるＯＦＤＭシンボル内のデータ信号の電力と、前記基地局装置毎に定められる参照信号と前記移動局装置毎に定められる参照信号とを含まないＯＦＤＭシンボル内のデータ信号の電力との比を、前記基地局装置毎に定められる値として前記移動局装置に報知することを特徴とする基地局装置。
【請求項１１】
８アンテナを備える基地局装置における通信方法であって、
リソースブロックに対する前記基地局装置毎に定められる参照信号の配置と前記移動局装置毎に定められる参照信号の配置とコントロール信号の配置とデータ信号の配置とについて示される信号配置パターンに基づいて、前記基地局装置毎に定められる参照信号と前記移動局装置毎に定められる参照信号とコントロール信号とデータ信号とをリソースブロックに配置する第１のステップと、
前記基地局装置毎に定められる参照信号の電力と前記移動局装置毎に定められる参照信号の電力とコントロール信号の電力とデータ信号の電力とについて示される電力調整パターンに基づいて、前記基地局装置毎に定められる参照信号の電力と前記移動局装置毎に定められる参照信号の電力とコントロール信号の電力とデータ信号の電力とを調整する第２のステップと、
リソースブロックを前記移動局装置に送信する第３のステップと、
を備えることを特徴とする通信方法。
【請求項１２】
１アンテナもしくは複数のアンテナを備える移動局装置における通信方法であって、
前記基地局装置から送信されたリソースブロックを受信する第１のステップと、
前記基地局装置毎に定められる参照信号と前記移動局装置毎に定められる参照信号とから算出されるチャネル特性と電力調整パターンとに基づいて、復調のための重みを算出する第２のステップと、
算出された重みに基づいて、コントロール信号とデータ信号とを復調する第３のステップと、
を備えることを特徴とする通信方法。
【発明の詳細な説明】
【技術分野】
【０００１】
本発明は、通信における電力調整技術、無線通信システム、基地局装置、移動局装置などの通信技術に関する。
【背景技術】
【０００２】
現在、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）方式を用いた移動体通信において、基地局装置は１アンテナ、２アンテナもしくは４アンテナを備えている。しかしながら、近年の技術革新および通信容量の改善要求などに伴い、今後、基地局装置および移動局装置は８アンテナを備え、８ｘ８のＭＩＭＯ（Ｍｕｌｔｉ  Ｉｎｐｕｔ  Ｍｕｌｔｉ  Ｏｕｔｐｕｔ）方式が適用されるようになると予測されている。【０００３】
また、基地局装置が８アンテナを備えるようになると、ダイバーシティ効果についても従来のものより改善されるとも予測されている。【０００４】
今後、上述に改善要求に伴い、８アンテナを備える基地局装置でも、セルカバレッジの調整およびチャネル推定精度の改善のため、基地局装置毎に定められる参照信号の電力と移動局装置毎に定められる参照信号の電力とコントロール信号の電力とデータ信号の電力との調整が必要であることが予測される。【０００５】
非特許文献１では、基地局装置が１アンテナ、２アンテナもしくは４アンテナを備える場合の、基地局装置毎に定められる参照信号の電力とデータ信号の電力とに関する仕様が示されている。【０００６】
非特許文献１では、例えば図１に示すように、基地局装置毎に定められる参照信号（ＲＳ）が含まれるＯＦＤＭシンボルにおいて、基地局装置毎に定められる参照信号（ＲＳ）を送信するアンテナ（例えば、図１ではＡｎｔ１）の送信電力と、基地局装置毎に定められる参照信号を含まないＯＦＤＭシンボルにける該アンテナ（例えば図１では、Ａｎｔ１）の送信電力とは等しいものとしている。この場合、基地局装置毎に定められる参照信号が含まれるＯＦＤＭシンボル内のデータ信号の電力と基地局装置毎に定められる参照信号を含まないＯＦＤＭシンボル内のデータ信号の電力とは異なるため、移動局装置では、データ信号を復調する際、データ信号の電力に関する情報を必要とする。【０００７】
非特許文献１では、図２に示すように、基地局装置毎に定められる参照信号を含まないＯＦＤＭシンボル内のデータ信号の電力を基地局装置毎に定められる参照信号の電力で除した値ρａを移動局装置毎に設定し、基地局装置毎に定められる参照信号が含まれるＯＦＤＭシンボル内のデータ信号の電力を基地局装置毎に定められる参照信号の電力で除した値ρｂをρａで除した値、ρｂ／ρａを基地局装置毎に設定し、ρｂ／ρａを基地局装置毎に報知し、ρａを移動局装置毎に報知するものとしている。【０００８】
また、図１に示すように、基地局装置毎に定められる参照信号の電力は一定とし、データ信号の電力はリソースブロック単位かつＯＦＤＭシンボル単位で一定としている。【０００９】
非特許文献２では、図３に示すように、基地局装置毎に定められる参照信号が含まれるＯＦＤＭシンボルにおいて、基地局装置毎に定められる参照信号を送信するアンテナ（ＡＮＴＰ０およびＡＮＴＰ１）の送信電力と、基地局装置毎に定められる参照信号を送信しないアンテナ（ＡＮＴＰ２およびＡＮＴＰ３）の送信電力とが等しくなるように、アンテナ毎にデータ信号の電力を変える提案がなされている。この提案は電力を最大限に活用することで、スループット等の特性を改善できるという特徴を備えるが、ダイバーシティゲインの増加に伴い、セル間の干渉電力も増加するため、システムとしての特性劣化が懸念されている。
【先行技術文献】
【非特許文献】
【００１０】
【非特許文献１】３ＧＰＰ  ＴＳ．３６．２１３  ｖｅｒ．８．４．０
【非特許文献２】３ＧＰＰ  ＴＳＧ  ＲＡＮ１  ＃５４ｂｉｓ，Ｒ１−０８０６９０，“Ｐｏｗｅｒ  Ｓｃａｌｉｎｇ  ａｎｄ  ＤＬ  ＲＳ  ｂｏｏｓｔｉｎｇ”
【発明の概要】
【発明が解決しようとする課題】
【００１１】
非特許文献１では、基地局装置が１アンテナ、２アンテナもしくは４アンテナを備える場合に、基地局装置から移動局装置に対して、データ信号の電力を報知する手段が示されている。しかし今後、基地局装置が８アンテナを備えることが予測され、これに伴い、８アンテナを備える基地局装置から移動局装置に対するデータ信号の電力を報知する手段が必要となると考えられる。【００１２】
本発明では、８アンテナを備える基地局装置における、基地局装置毎に定められる参照信号の電力と移動局装置毎に定められる参照信号の電力とコントロール信号の電力とデータ信号の電力とを調整する手段と、移動局装置に対してデータ信号の電力を報知する手段を提供することを目的とする。
【課題を解決するための手段】
【００１３】
本発明の一観点によれば、８アンテナを備える基地局装置と、１アンテナもしくは複数のアンテナを備える移動局装置と、を有する通信システムであって、前記基地局装置は、リソースブロックに対する前記基地局装置毎に定められる参照信号の配置と前記移動局装置毎に定められる参照信号の配置とコントロール信号の配置とデータ信号の配置とについて示される信号配置パターンに基づいて、前記基地局装置毎に定められる参照信号と前記移動局装置毎に定められる参照信号とコントロール信号とデータ信号とをリソースブロックに配置する信号配置部と、前記基地局装置毎に定められる参照信号の電力と前記移動局装置毎に定められる参照信号の電力とコントロール信号の電力とデータ信号の電力とについて示される電力調整パターンに基づいて、前記基地局装置毎に定められる参照信号の電力と前記移動局装置毎に定められる参照信号の電力とコントロール信号の電力とデータ信号の電力とを調整する電力調整部と、リソースブロックを前記移動局装置に送信する送信部と、を備え、
前記移動局装置は、前記基地局装置から送信されたリソースブロックを受信する受信部と、前記基地局装置毎に定められる参照信号と前記移動局装置毎に定められる参照信号とから算出されるチャネル特性と電力調整パターンとに基づいて、復調のための重みを算出する重み算出部と、算出された重みに基づいて、コントロール信号とデータ信号とを復調する復調部と、を備えることを特徴とする通信システムが提供される。【００１４】
前記電力調整部において、コントロール信号の電力とデータ信号の電力とは、ＯＦＤＭシンボル毎に一定とすることが好ましい。【００１５】
また、基地局装置毎に定められる参照信号と移動局装置毎に定められる参照信号とが含まれるＯＦＤＭシンボルにおいて、コントロール信号とデータ信号との送信に用いるサブキャリアの電力が一定となるよう、基地局装置毎に定められる参照信号と移動局装置毎に定められる参照信号とを送信しないアンテナから送信されるコントロール信号の電力とデータ信号の電力とを調整しても良い。【００１６】
前記電力調整部において、前記基地局装置毎に定められる参照信号と前記移動局装置毎に定められる参照信号との送信に用いるサブキャリアの電力は一定とすることが好ましい。【００１７】
前記電力調整部において、前記基地局装置毎に定められる参照信号と前記移動局装置毎に定められる参照信号とが含まれるＯＦＤＭシンボルにおいて、前記基地局装置毎に定められる参照信号と前記移動局装置毎に定められる参照信号とを送信するアンテナの送信電力と、前記基地局装置毎に定められる参照信号と前記移動局装置毎に定められる参照信号とを含まないＯＦＤＭシンボルにおける各アンテナの送信電力と、は等しいことが好ましい。【００１８】
前記電力調整部において、前記基地局装置毎に定められる参照信号の電力と前記移動局装置毎に定められる参照信号の電力との変化に応じて、前記基地局装置毎に定められる参照信号と前記移動局装置毎に定められる参照信号とが含まれるＯＦＤＭシンボル内のコントロール信号の電力とデータ信号の電力とを変化させることが好ましい。【００１９】
前記信号配置部において、１アンテナもしくは複数のアンテナから同時に同一のサブキャリアを用いて前記基地局装置毎に定められる参照信号と前記移動局装置毎に定められる参照信号とが送信されることが好ましい。【００２０】
本発明における通信システムの基地局装置であって、前記基地局装置毎に定められる参照信号の電力と、前記基地局装置毎に定められる参照信号と前記移動局装置毎に定められる参照信号とを含まないＯＦＤＭシンボル内のデータ信号の電力との比を、前記移動局装置毎に定められる値として前記移動局装置に報知するようにしても良い。【００２１】
また、前記基地局装置毎に定められる参照信号と前記移動局装置毎に定められる参照信号とが含まれるＯＦＤＭシンボル内のデータ信号の電力と、前記基地局装置毎に定められる参照信号と前記移動局装置毎に定められる参照信号とを含まないＯＦＤＭシンボル内のデータ信号の電力との比を、前記基地局装置毎に定められる値として前記移動局装置に報知しても良い。【００２２】
本発明の他の観点によれば、８アンテナを備える基地局装置における通信方法であって、リソースブロックに対する前記基地局装置毎に定められる参照信号の配置と前記移動局装置毎に定められる参照信号の配置とコントロール信号の配置とデータ信号の配置とについて示される信号配置パターンに基づいて、前記基地局装置毎に定められる参照信号と前記移動局装置毎に定められる参照信号とコントロール信号とデータ信号とをリソースブロックに配置する第１のステップと、前記基地局装置毎に定められる参照信号の電力と前記移動局装置毎に定められる参照信号の電力とコントロール信号の電力とデータ信号の電力とについて示される電力調整パターンに基づいて、前記基地局装置毎に定められる参照信号の電力と前記移動局装置毎に定められる参照信号の電力とコントロール信号の電力とデータ信号の電力とを調整する第２のステップと、リソースブロックを前記移動局装置に送信する第３のステップと、を備えることを特徴とする通信方法が提供される。【００２３】
また、１アンテナもしくは複数のアンテナを備える移動局装置における通信方法であって、前記基地局装置から送信されたリソースブロックを受信する第１のステップと、前記基地局装置毎に定められる参照信号と前記移動局装置毎に定められる参照信号とから算出されるチャネル特性と電力調整パターンとに基づいて、復調のための重みを算出する第２のステップと、算出された重みに基づいて、コントロール信号とデータ信号とを復調する第３のステップと、を備えることを特徴とする通信方法であっても良い。【００２４】
尚、図５のケース１から４０までの信号配置パターンと電力調整パターンとも本発明の権利範囲に含まれるものである。【００２５】
本明細書は本願の優先権の基礎である日本国特許出願２００９−０１６５７０号の明細書および／または図面に記載される内容を包含する。
【発明の効果】
【００２６】
本発明では、８アンテナを備える基地局装置において、基地局装置毎に定められる参照信号の電力と移動局装置毎に定められる参照信号の電力とコントロール信号の電力とデータ信号の電力とを調整し、データ信号の電力を移動局装置に報知するため、セルカバレッジの調整およびチャネル推定精度の改善が可能である。
【図面の簡単な説明】
【００２７】
【図１】基地局装置毎に定められる参照信号（ＲＳ）とデータ信号（Ｄ）との配置を示す図である。
【図２】基地局装置毎に定められる参照信号とデータ信号との電力に関する定義を示す図である。
【図３】基地局装置毎に定められる参照信号が含まれるＯＦＤＭシンボルにおいて、基地局装置毎に定められる参照信号を送信するアンテナの送信電力と、基地局装置毎に定められる参照信号を送信しないアンテナの送信電力と、が等しくなるように、アンテナ毎にデータ信号の電力を変えた場合の例を示す図である。
【図４】本実施形態による基地局装置の一構成例を示す図である。
【図５】本実施形態によるリソースブロックに対する基地局装置毎に定められる参照信号の配置と移動局装置毎に定められる参照信号の配置とコントロール信号の配置とデータ信号の配置と、基地局装置毎に定められる参照信号の電力と移動局装置毎に定められる参照信号の電力とコントロール信号の電力とデータ信号の電力とに関する定義を示す図である。
【図６】本実施形態による移動局装置の一構成例を示す図である。
【符号の説明】
【００２８】
（１００ａ）…基地局装置、（１０ｃ）〜（１７ｃ）…信号処理装置、（１０ｃ−１）〜（１７ｃ−１）…信号配置部、（１０ｃ−２）〜（１７ｃ−２）…電力制御部、（１０ｃ−３）〜（１７ｃ−３）…送信部、（１０ｃ−４）〜（１７ｃ−４）…アンテナ、（２００ａ）…移動局装置、（２０ａ−１）〜（２７ａ−１）…アンテナ、（２０ａ−２）〜（２７ａ−２）…受信部、（２０ｂ）…重み制御部、（２０ａ−３）…復調部。
【発明を実施するための形態】
【００２９】
以下、図面を参照しながら本発明の各実施形態について説明する。
【００３０】
（第１の実施形態）
第１の実施形態では、図４に示される、８アンテナを備える基地局装置（１００ａ）と図６に示される、８アンテナを備える移動局装置（２００ａ）との通信を例にして説明する。なお、本実施形態においては、周波数方向に１２サブキャリアを備えるリソースブロックを単位とする説明をおこなう。
【００３１】
はじめに、基地局装置（１００ａ）の構成例について説明する。
【００３２】
図４に示すように、本実施形態による基地局装置（１００ａ）には、外部から基地局装置毎に定められる参照信号と移動局装置毎に定められる参照信号とコントロール信号とデータ信号とが入力されている。
【００３３】
基地局装置（１００ａ）は、信号処理装置（１０ｃ）と信号処理装置（１１ｃ）と信号処理装置（１２ｃ）と信号処理装置（１３ｃ）と信号処理装置（１４ｃ）と信号処理装置（１５ｃ）と信号処理装置（１６ｃ）と信号処理装置（１７ｃ）と、それぞれの信号処理装置と接続されるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とを有している。
【００３４】
はじめに、アンテナ（１０ｃ−４）から送信される基地局装置毎に定められる参照信号と移動局装置毎に定められる参照信号とコントロール信号とデータ信号とが信号処理装置（１０ｃ）に入力され、アンテナ（１１ｃ−４）から送信される基地局装置毎に定められる参照信号と移動局装置毎に定められる参照信号とコントロール信号とデータ信号とが信号処理装置（１１ｃ）に入力され、アンテナ（１２ｃ−４）から送信される基地局装置毎に定められる参照信号と移動局装置毎に定められる参照信号とコントロール信号とデータ信号とが信号処理装置（１２ｃ）に入力され、アンテナ（１３ｃ−４）から送信される基地局装置毎に定められる参照信号と移動局装置毎に定められる参照信号とコントロール信号とデータ信号とが信号処理装置（１３ｃ）に入力され、アンテナ（１４ｃ−４）から送信される基地局装置毎に定められる参照信号と移動局装置毎に定められる参照信号とコントロール信号とデータ信号とが信号処理装置（１４ｃ）に入力され、アンテナ（１５ｃ−４）から送信される基地局装置毎に定められる参照信号と移動局装置毎に定められる参照信号とコントロール信号とデータ信号とが信号処理装置（１５ｃ）に入力され、アンテナ（１６ｃ−４）から送信される基地局装置毎に定められる参照信号と移動局装置毎に定められる参照信号とコントロール信号とデータ信号とが信号処理装置（１６ｃ）に入力され、アンテナ（１７ｃ−４）から送信される基地局装置毎に定められる参照信号と移動局装置毎に定められる参照信号とコントロール信号とデータ信号とが信号処理装置（１７ｃ）に入力される。
【００３５】
ここで、信号処理装置（１０ｃ）と信号処理装置（１１ｃ）と信号処理装置（１２ｃ）と信号処理装置（１３ｃ）と信号処理装置（１４ｃ）と信号処理装置（１５ｃ）と信号処理装置（１６ｃ）と信号処理装置（１７ｃ）とは同一の構造であるため、以降は、信号処理装置（１０ｃ）に関する説明のみをおこなうものとする。
【００３６】
信号処理装置（１０ｃ）は、基地局装置毎に定められる参照信号と移動局装置毎に定められる参照信号とコントロール信号とデータ信号との入力側から順番に、信号配置部（１０ｃ−１）と電力調整部（１０ｃ−２）と送信部（１０ｃ−３）とを有している。
【００３７】
はじめに、信号処理装置（１０ｃ）に入力される基地局装置毎に定められる参照信号と移動局装置毎に定められる参照信号とコントロール信号とデータ信号とは、信号配置部（１０ｃ−１）に出力される。
【００３８】
信号配置部（１０ｃ−１）では、はじめに、図５に示されるいずれかのケース（１から４０まで）の信号配置パターンに基づき、リソースブロックに対して、基地局装置毎に定められる参照信号と移動局装置毎に定められる参照信号とコントロール信号とデータ信号とが配置される。ただし、基地局装置毎に定められる参照信号と移動局装置毎に定められる参照信号とはサブキャリアあたり１アンテナのみから送信するように、配置されるものとする。
【００３９】
具体的にははじめに、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数に基づき、リソースブロックに対して、基地局装置毎に定められる参照信号と移動局装置毎に定められる参照信号とが配置される。
【００４０】
次に、ダイバーシティ方式時、基地局装置毎に定められる参照信号と移動局装置毎に定められる参照信号とを含まないＯＦＤＭシンボルにおいて、各アンテナから送信されるデータ信号の数に基づき、リソースブロックに対して、コントロール信号が配置される。
【００４１】
次に、ＭＩＭＯ方式時、基地局装置毎に定められる参照信号と移動局装置毎に定められる参照信号とが含まれるＯＦＤＭシンボルにおいて、各アンテナから送信されるデータ信号の数と、基地局装置毎に定められる参照信号と移動局装置毎に定められる参照信号とを含まないＯＦＤＭシンボルにおいて、各アンテナから送信されるデータ信号の数（１２）とに基づき、リソースブロックに対して、データ信号が配置され、ダイバーシティ方式時、基地局装置毎に定められる参照信号と移動局装置毎に定められる参照信号とを含まないＯＦＤＭシンボルにおいて、各アンテナから送信されるデータ信号の数に基づき、リソースブロックに対して、データ信号が配置される。
【００４２】
次に、この基地局装置毎に定められる参照信号と移動局装置毎に定められる参照信号とコントロール信号とデータ信号とが配置されたリソースブロックが電力制御部（１０ｃ−３）に出力される。
【００４３】
電力制御部（１０ｃ−３）では、はじめに、図５に示されるいずれかのケースのρａ（基地局装置毎に定められる参照信号を含まないＯＦＤＭシンボル内のデータ信号の電力を基地局装置毎に定められる参照信号の電力で除した値）とρｂ／ρａ（基地局装置毎に定められる参照信号が含まれるＯＦＤＭシンボル内のデータ信号の電力を基地局装置毎に定められる参照信号の電力で除した値ρｂをρａで除した値）とダイバーシティ時にρａに加える電力とに基づいて、基地局装置毎に定められる参照信号の電力と移動局装置毎に定められる参照信号の電力とコントロール信号の電力とデータ信号の電力とを調整する。
【００４４】
ここで、先述のとおり、コントロール信号に対してはＭＩＭＯ方式時とダイバーシティ方式時とによらず常にダイバーシティ方式時の電力調整パターンが適用され、データ信号に対してはＭＩＭＯ方式時にＭＩＭＯ方式時の電力調整パターンが適用され、ダイバーシティ方式時にダイバーシティ方式時の電力調整パターンが適用されているものとする。
【００４５】
また、基地局装置毎に定められる参照信号の電力と移動局装置毎に定められる参照信号の電力とは一定かつ等しく、ＯＦＤＭシンボル内のコントロール信号の電力とデータ信号の電力とは一定とする。
【００４６】
ここで、図５に示す電力調整パターンは、以下のようにして信号配置パターンから算出される。
【００４７】
ただし、１アンテナから送信される１２サブキャリアの総電力は１２ａであり、基地局装置毎に定められる参照信号の電力と移動局装置毎に定められる参照信号の電力とは、ＭＩＭＯ方式時、ρａが０［ｄＢ］の場合、１ａとし、ＭＩＭＯ方式時、ρａが−３［ｄＢ］の場合、２ａとし、ＭＩＭＯ方式時、ρａが−４．７７［ｄＢ］の場合、３ａとし、ＭＩＭＯ方式時、ρａが−６［ｄＢ］の場合、４ａとする。
【００４８】
（ρｂ／ρａの算出方法）
ρｂ／ρａ＝（（１アンテナから送信される１２サブキャリアの総電力―基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数×基地局装置毎に定められる参照信号もしくは移動局装置毎に定められる参照信号の電力）／ＭＩＭＯ方式時、基地局装置毎に定められる参照信号と移動局装置毎に定められる参照信号とが含まれるＯＦＤＭシンボルにおいて、各アンテナから送信されるデータ信号の数／基地局装置毎に定められる参照信号の電力と移動局装置毎に定められる参照信号との電力）／ρａに相当する電力比、で算出することができる。
【００４９】
（ダイバーシティ方式時にρａに加える電力の算出方法）
１０×ｌｏｇ（１アンテナから送信される１２サブキャリアの総電力／ダイバーシティ方式時、基地局装置毎に定められる参照信号と移動局装置毎に定められる参照信号とを含まないＯＦＤＭシンボルにおいて、各アンテナから送信されるデータ信号の数）／ρａが０［ｄＢ］のときの基地局装置毎に定められる参照信号もしくは移動局装置毎に定められる参照信号の電力、で算出することができる。
【００５０】
例えば図５のケース１では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【００５１】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１０／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは８／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／５となる。
【００５２】
また、ρｂ／ρａを１０／９とした場合、ＭＩＭＯ方式時、ρａは０［ｄＢ］となり、ダイバーシティ方式時、ρａは、３［ｄＢ］加えるため３［ｄＢ］となり、ρｂ／ρａを１とした場合、ＭＩＭＯ方式時、ρａは−３［ｄＢ］となり、ダイバーシティ方式時、ρａは、３［ｄＢ］加えるため０［ｄＢ］となり、ρｂ／ρａを８／９とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを４／５とした場合、ＭＩＭＯ方式時、ρａは−６［ｄＢ］となり、ダイバーシティ方式時、ρａは、３［ｄＢ］加えるため−３［ｄＢ］となる。
【００５３】
また、図５のケース２では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【００５４】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／５となる。
【００５５】
また、ρｂ／ρａを１とした場合、ＭＩＭＯ方式時、ρａは０［ｄＢ］となり、ダイバーシティ方式時、ρａは、３［ｄＢ］加えるため３［ｄＢ］となり、ρｂ／ρａを４／５とした場合、ＭＩＭＯ方式時、ρａは−３［ｄＢ］となり、ダイバーシティ方式時、ρａは、３［ｄＢ］加えるため０［ｄＢ］となり、ρｂ／ρａを３／５とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを２／５とした場合、ＭＩＭＯ方式時、ρａは−６［ｄＢ］となり、ダイバーシティ方式時、ρａは、３［ｄＢ］加えるため−３［ｄＢ］となる。
【００５６】
また、図５のケース３では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【００５７】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１０／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは８／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／５となる。
【００５８】
また、ρｂ／ρａを１０／９とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを１とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを８／９とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを４／５とした場合、ＭＩＭＯ方式時、ρａは−６［ｄＢ］となり、ダイバーシティ方式時、ρａは、４．７７［ｄＢ］加えるため−１．２３［ｄＢ］となる。
【００５９】
また、図５のケース４では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【００６０】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／５となる。
【００６１】
また、ρｂ／ρａを１とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを４／５とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを３／５とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを２／５とした場合、ＭＩＭＯ方式時、ρａは−６［ｄＢ］となり、ダイバーシティ方式時、ρａは、４．７７［ｄＢ］加えるため−１．２３［ｄＢ］となる。
【００６２】
また、図５のケース５では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【００６３】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１０／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは８／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／５となる。
【００６４】
また、ρｂ／ρａを１０／９とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを１とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを８／９とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを４／５とした場合、ＭＩＭＯ方式時、ρａは−６［ｄＢ］となり、ダイバーシティ方式時、ρａは、７．７７［ｄＢ］加えるため１．７７［ｄＢ］となる。
【００６５】
また、図５のケース６では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【００６６】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／５となる。
【００６７】
また、ρｂ／ρａを１とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを４／５とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを３／５とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを２／５とした場合、ＭＩＭＯ方式時、ρａは−６［ｄＢ］となり、ダイバーシティ方式時、ρａは、７．７７［ｄＢ］加えるため１．７７［ｄＢ］となる。
【００６８】
また、図５のケース７では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【００６９】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【００７０】
また、ρｂ／ρａを１１／８とした場合、ＭＩＭＯ方式時、ρａは０［ｄＢ］となり、ダイバーシティ方式時、ρａは、３［ｄＢ］加えるため３［ｄＢ］となり、ρｂ／ρａを５／４とした場合、ＭＩＭＯ方式時、ρａは−３［ｄＢ］となり、ダイバーシティ方式時、ρａは、３［ｄＢ］加えるため０［ｄＢ］となり、ρｂ／ρａを９／８とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを１とした場合、ＭＩＭＯ方式時、ρａは−６［ｄＢ］となり、ダイバーシティ方式時、ρａは、３［ｄＢ］加えるため−３［ｄＢ］となる。
【００７１】
また、図５のケース８では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【００７２】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１／２となる。
【００７３】
また、ρｂ／ρａを５／４とした場合、ＭＩＭＯ方式時、ρａは０［ｄＢ］となり、ダイバーシティ方式時、ρａは、３［ｄＢ］加えるため３［ｄＢ］となり、ρｂ／ρａを１とした場合、ＭＩＭＯ方式時、ρａは−３［ｄＢ］となり、ダイバーシティ方式時、ρａは、３［ｄＢ］加えるため０［ｄＢ］となり、ρｂ／ρａを３／４とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを１／２とした場合、ＭＩＭＯ方式時、ρａは−６［ｄＢ］となり、ダイバーシティ方式時、ρａは、３［ｄＢ］加えるため−３［ｄＢ］となる。
【００７４】
また、図５のケース９では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【００７５】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【００７６】
また、ρｂ／ρａを１１／８とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを５／４とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを９／８とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを１とした場合、ＭＩＭＯ方式時、ρａは−６［ｄＢ］となり、ダイバーシティ方式時、ρａは、４．７７［ｄＢ］加えるため−１．２３［ｄＢ］となる。
【００７７】
また、図５のケース１０では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【００７８】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１／２となる。
【００７９】
また、ρｂ／ρａを５／４とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを１とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを３／４とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを１／２とした場合、ＭＩＭＯ方式時、ρａは−６［ｄＢ］となり、ダイバーシティ方式時、ρａは、４．７７［ｄＢ］加えるため−１．２３［ｄＢ］となる。
【００８０】
また、図５のケース１１では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【００８１】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【００８２】
また、ρｂ／ρａを１１／８とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを５／４とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを９／８とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを１とした場合、ＭＩＭＯ方式時、ρａは−６［ｄＢ］となり、ダイバーシティ方式時、ρａは、７．７７［ｄＢ］加えるため１．７７［ｄＢ］となる。
【００８３】
また、図５のケース１２では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【００８４】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１／２となる。
【００８５】
また、ρｂ／ρａを５／４とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを１とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを３／４とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを１／２とした場合、ＭＩＭＯ方式時、ρａは−６［ｄＢ］となり、ダイバーシティ方式時、ρａは、７．７７［ｄＢ］加えるため１．７７［ｄＢ］となる。
【００８６】
また、図５のケース１３では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【００８７】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／６となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／３となる。
【００８８】
また、ρｂ／ρａを１１／６とした場合、ＭＩＭＯ方式時、ρａは０［ｄＢ］となり、ダイバーシティ方式時、ρａは、３［ｄＢ］加えるため３［ｄＢ］となり、ρｂ／ρａを５／３とした場合、ＭＩＭＯ方式時、ρａは−３［ｄＢ］となり、ダイバーシティ方式時、ρａは、３［ｄＢ］加えるため０［ｄＢ］となり、ρｂ／ρａを３／２とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを４／３とした場合、ＭＩＭＯ方式時、ρａは−６［ｄＢ］となり、ダイバーシティ方式時、ρａは、３［ｄＢ］加えるため−３［ｄＢ］となる。
【００８９】
また、図５のケース１４では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【００９０】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／３となる。
【００９１】
また、ρｂ／ρａを５／３とした場合、ＭＩＭＯ方式時、ρａは０［ｄＢ］となり、ダイバーシティ方式時、ρａは、３［ｄＢ］加えるため３［ｄＢ］となり、ρｂ／ρａを４／３とした場合、ＭＩＭＯ方式時、ρａは−３［ｄＢ］となり、ダイバーシティ方式時、ρａは、３［ｄＢ］加えるため０［ｄＢ］となり、ρｂ／ρａを１とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを２／３とした場合、ＭＩＭＯ方式時、ρａは−６［ｄＢ］となり、ダイバーシティ方式時、ρａは、３［ｄＢ］加えるため−３［ｄＢ］となる。
【００９２】
また、図５のケース１５では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【００９３】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／６となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／３となる。
【００９４】
また、ρｂ／ρａを１１／６とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを５／３とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを３／２とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを４／３とした場合、ＭＩＭＯ方式時、ρａは−６［ｄＢ］となり、ダイバーシティ方式時、ρａは、４．７７［ｄＢ］加えるため−１．２３［ｄＢ］となる。
【００９５】
また、図５のケース１６では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【００９６】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／３となる。
【００９７】
また、ρｂ／ρａを５／３とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを４／３とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを１とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを２／３とした場合、ＭＩＭＯ方式時、ρａは−６［ｄＢ］となり、ダイバーシティ方式時、ρａは、４．７７［ｄＢ］加えるため−１．２３［ｄＢ］となる。
【００９８】
また、図５のケース１７では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【００９９】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／６となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／３となる。
【０１００】
また、ρｂ／ρａを１１／６とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを５／３とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを３／２とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを４／３とした場合、ＭＩＭＯ方式時、ρａは−６［ｄＢ］となり、ダイバーシティ方式時、ρａは、７．７７［ｄＢ］加えるため１．７７［ｄＢ］となる。
【０１０１】
また、図５のケース１８では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【０１０２】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／３となる。
【０１０３】
また、ρｂ／ρａを５／３とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを４／３とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを１とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを２／３とした場合、ＭＩＭＯ方式時、ρａは−６［ｄＢ］となり、ダイバーシティ方式時、ρａは、７．７７［ｄＢ］加えるため１．７７［ｄＢ］となる。
【０１０４】
また、図５のケース１９では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【０１０５】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１０６】
また、ρｂ／ρａを１１／４とした場合、ＭＩＭＯ方式時、ρａは０［ｄＢ］となり、ダイバーシティ方式時、ρａは、３［ｄＢ］加えるため３［ｄＢ］となり、ρｂ／ρａを５／２とした場合、ＭＩＭＯ方式時、ρａは−３［ｄＢ］となり、ダイバーシティ方式時、ρａは、３［ｄＢ］加えるため０［ｄＢ］となり、ρｂ／ρａを９／４とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを２とした場合、ＭＩＭＯ方式時、ρａは−６［ｄＢ］となり、ダイバーシティ方式時、ρａは、３［ｄＢ］加えるため−３［ｄＢ］となる。
【０１０７】
また、図５のケース２０では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【０１０８】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【０１０９】
また、ρｂ／ρａを５／２とした場合、ＭＩＭＯ方式時、ρａは０［ｄＢ］となり、ダイバーシティ方式時、ρａは、３［ｄＢ］加えるため３［ｄＢ］となり、ρｂ／ρａを２とした場合、ＭＩＭＯ方式時、ρａは−３［ｄＢ］となり、ダイバーシティ方式時、ρａは、３［ｄＢ］加えるため０［ｄＢ］となり、ρｂ／ρａを３／２とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを１とした場合、ＭＩＭＯ方式時、ρａは−６［ｄＢ］となり、ダイバーシティ方式時、ρａは、３［ｄＢ］加えるため−３［ｄＢ］となる。
【０１１０】
また、図５のケース２１では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【０１１１】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１１２】
また、ρｂ／ρａを１１／４とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを５／２とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを９／４とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを２とした場合、ＭＩＭＯ方式時、ρａは−６［ｄＢ］となり、ダイバーシティ方式時、ρａは、４．７７［ｄＢ］加えるため−１．２３［ｄＢ］となる。
【０１１３】
また、図５のケース２２では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【０１１４】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【０１１５】
また、ρｂ／ρａを５／２とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを２とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを３／２とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを１とした場合、ＭＩＭＯ方式時、ρａは−６［ｄＢ］となり、ダイバーシティ方式時、ρａは、４．７７［ｄＢ］加えるため−１．２３［ｄＢ］となる。
【０１１６】
また、図５のケース２３では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【０１１７】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１１８】
また、ρｂ／ρａを１１／４とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを５／２とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを９／４とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを２とした場合、ＭＩＭＯ方式時、ρａは−６［ｄＢ］となり、ダイバーシティ方式時、ρａは、７．７７［ｄＢ］加えるため１．７７［ｄＢ］となる。
【０１１９】
また、図５のケース２４では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【０１２０】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【０１２１】
また、ρｂ／ρａを５／２とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを２とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを３／２とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを１とした場合、ＭＩＭＯ方式時、ρａは−６［ｄＢ］となり、ダイバーシティ方式時、ρａは、７．７７［ｄＢ］加えるため１．７７［ｄＢ］となる。
【０１２２】
また、図５のケース２５では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【０１２３】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４となる。
【０１２４】
また、ρｂ／ρａを１１／２とした場合、ＭＩＭＯ方式時、ρａは０［ｄＢ］となり、ダイバーシティ方式時、ρａは、３［ｄＢ］加えるため３［ｄＢ］となり、ρｂ／ρａを５とした場合、ＭＩＭＯ方式時、ρａは−３［ｄＢ］となり、ダイバーシティ方式時、ρａは、３［ｄＢ］加えるため０［ｄＢ］となり、ρｂ／ρａを９／２とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを４とした場合、ＭＩＭＯ方式時、ρａは−６［ｄＢ］となり、ダイバーシティ方式時、ρａは、３［ｄＢ］加えるため−３［ｄＢ］となる。
【０１２５】
また、図５のケース２６では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を６としている。
【０１２６】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１２７】
また、ρｂ／ρａを５とした場合、ＭＩＭＯ方式時、ρａは０［ｄＢ］となり、ダイバーシティ方式時、ρａは、３［ｄＢ］加えるため３［ｄＢ］となり、ρｂ／ρａを４とした場合、ＭＩＭＯ方式時、ρａは−３［ｄＢ］となり、ダイバーシティ方式時、ρａは、３［ｄＢ］加えるため０［ｄＢ］となり、ρｂ／ρａを３とした場合、ＭＩＭＯ方式時、ρａは−４．７７［ｄＢ］となり、ダイバーシティ方式時、ρａは、３［ｄＢ］加えるため−１．７７［ｄＢ］となり、ρｂ／ρａを２とした場合、ＭＩＭＯ方式時、ρａは−６［ｄＢ］となり、ダイバーシティ方式時、ρａは、３［ｄＢ］加えるため−３［ｄＢ］となる。
【０１２８】
また、図５のケース２７では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【０１２９】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４となる。
【０１３０】
また、ρｂ／ρａを１１／２とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを５とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを９／２とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを４とした場合、ＭＩＭＯ方式時、ρａは−６［ｄＢ］となり、ダイバーシティ方式時、ρａは、４．７７［ｄＢ］加えるため−１．２３［ｄＢ］となる。
【０１３１】
また、図５のケース２８では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を４としている。
【０１３２】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１３３】
また、ρｂ／ρａを５とした場合、ＭＩＭＯ方式時、ρａは０［ｄＢ］となり、ダイバーシティ方式時、ρａは、４．７７［ｄＢ］加えるため４．７７［ｄＢ］となり、ρｂ／ρａを４とした場合、ＭＩＭＯ方式時、ρａは−３［ｄＢ］となり、ダイバーシティ方式時、ρａは、４．７７［ｄＢ］加えるため１．７７［ｄＢ］となり、ρｂ／ρａを３とした場合、ＭＩＭＯ方式時、ρａは−４．７７［ｄＢ］となり、ダイバーシティ方式時、ρａは、４．７７［ｄＢ］加えるため０［ｄＢ］となり、ρｂ／ρａを２とした場合、ＭＩＭＯ方式時、ρａは−６［ｄＢ］となり、ダイバーシティ方式時、ρａは、４．７７［ｄＢ］加えるため−１．２３［ｄＢ］となる。
【０１３４】
また、図５のケース２９では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【０１３５】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４となる。
【０１３６】
また、ρｂ／ρａを１１／２とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを５とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを９／２とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを４とした場合、ＭＩＭＯ方式時、ρａは−６［ｄＢ］となり、ダイバーシティ方式時、ρａは、７．７７［ｄＢ］加えるため１．７７［ｄＢ］となる。
【０１３７】
また、図５のケース３０では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を２としている。
【０１３８】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１３９】
また、ρｂ／ρａを５とした場合、ＭＩＭＯ方式時、ρａは０［ｄＢ］となり、ダイバーシティ方式時、ρａは、７．７７［ｄＢ］加えるため７．７７［ｄＢ］となり、ρｂ／ρａを４とした場合、ＭＩＭＯ方式時、ρａは−３［ｄＢ］となり、ダイバーシティ方式時、ρａは、７．７７［ｄＢ］加えるため４．７７［ｄＢ］となり、ρｂ／ρａを３とした場合、ＭＩＭＯ方式時、ρａは−４．７７［ｄＢ］となり、ダイバーシティ方式時、ρａは、７．７７［ｄＢ］加えるため３［ｄＢ］となり、ρｂ／ρａを２とした場合、ＭＩＭＯ方式時、ρａは−６［ｄＢ］となり、ダイバーシティ方式時、ρａは、７．７７［ｄＢ］加えるため１．７７［ｄＢ］となる。
【０１４０】
また、図５のケース３１では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１４１】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１０／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは８／９となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／５となる。
【０１４２】
また、ρｂ／ρａを１０／９とした場合、ＭＩＭＯ方式時およびダイバーシティ方式時、ρａは０［ｄＢ］となり、ρｂ／ρａを１とした場合、ＭＩＭＯ方式時およびダイバーシティ方式時、ρａは−３［ｄＢ］となり、ρｂ／ρａを８／９とした場合、ＭＩＭＯ方式時およびダイバーシティ方式時、ρａは−４．７７［ｄＢ］となり、ρｂ／ρａを４／５とした場合、ＭＩＭＯ方式時およびダイバーシティ方式時、ρａは−６［ｄＢ］となる。
【０１４３】
また、図５のケース３２では、ＭＩＭＯ方式時、基地局装置毎に定められる参照信号と移動局装置毎に定められる参照信号とが含まれるＯＦＤＭシンボルにおいて、各アンテナから送信されるデータ信号の数を１０とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１４４】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／５となる。
【０１４５】
また、ρｂ／ρａを１とした場合、ＭＩＭＯ方式時およびダイバーシティ方式時、ρａは０［ｄＢ］となり、ρｂ／ρａを４／５とした場合、ＭＩＭＯ方式時およびダイバーシティ方式時、ρａは−３［ｄＢ］となり、ρｂ／ρａを３／５とした場合、ＭＩＭＯ方式時およびダイバーシティ方式時、ρａは−４．７７［ｄＢ］となり、ρｂ／ρａを２／５とした場合、ＭＩＭＯ方式時およびダイバーシティ方式時、ρａは−６［ｄＢ］となる。
【０１４６】
また、図５のケース３３では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１４７】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／８となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【０１４８】
また、ρｂ／ρａを１１／８とした場合、ＭＩＭＯ方式時およびダイバーシティ方式時、ρａは０［ｄＢ］となり、ρｂ／ρａを５／４とした場合、ＭＩＭＯ方式時およびダイバーシティ方式時、ρａは−３［ｄＢ］となり、ρｂ／ρａを９／８とした場合、ＭＩＭＯ方式時およびダイバーシティ方式時、ρａは−４．７７［ｄＢ］となり、ρｂ／ρａを１とした場合、ＭＩＭＯ方式時およびダイバーシティ方式時、ρａは−６［ｄＢ］となる。
【０１４９】
また、図５のケース３４では、ＭＩＭＯ方式時、基地局装置毎に定められる参照信号と移動局装置毎に定められる参照信号とが含まれるＯＦＤＭシンボルにおいて、各アンテナから送信されるデータ信号の数を８とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１５０】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１／２となる。
【０１５１】
また、ρｂ／ρａを５／４とした場合、ＭＩＭＯ方式時およびダイバーシティ方式時、ρａは０［ｄＢ］となり、ρｂ／ρａを１とした場合、ＭＩＭＯ方式時およびダイバーシティ方式時、ρａは−３［ｄＢ］となり、ρｂ／ρａを３／４とした場合、ＭＩＭＯ方式時およびダイバーシティ方式時、ρａは−４．７７［ｄＢ］となり、ρｂ／ρａを１／２とした場合、ＭＩＭＯ方式時およびダイバーシティ方式時、ρａは−６［ｄＢ］となる。
【０１５２】
また、図５のケース３５では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１５３】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／６となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４／３となる。
【０１５４】
また、ρｂ／ρａを１１／６とした場合、ＭＩＭＯ方式時およびダイバーシティ方式時、ρａは０［ｄＢ］となり、ρｂ／ρａを５／３とした場合、ＭＩＭＯ方式時およびダイバーシティ方式時、ρａは−３［ｄＢ］となり、ρｂ／ρａを３／２とした場合、ＭＩＭＯ方式時およびダイバーシティ方式時、ρａは−４．７７［ｄＢ］となり、ρｂ／ρａを４／３とした場合、ＭＩＭＯ方式時およびダイバーシティ方式時、ρａは−６［ｄＢ］となる。
【０１５５】
また、図５のケース３６では、ＭＩＭＯ方式時、基地局装置毎に定められる参照信号と移動局装置毎に定められる参照信号とが含まれるＯＦＤＭシンボルにおいて、各アンテナから送信されるデータ信号の数を６とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１５６】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４／３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは１となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２／３となる。
【０１５７】
また、ρｂ／ρａを５／３とした場合、ＭＩＭＯ方式時およびダイバーシティ方式時、ρａは０［ｄＢ］となり、ρｂ／ρａを４／３とした場合、ＭＩＭＯ方式時およびダイバーシティ方式時、ρａは−３［ｄＢ］となり、ρｂ／ρａを１とした場合、ＭＩＭＯ方式時およびダイバーシティ方式時、ρａは−４．７７［ｄＢ］となり、ρｂ／ρａを２／３とした場合、ＭＩＭＯ方式時およびダイバーシティ方式時、ρａは−６［ｄＢ］となる。
【０１５８】
また、図５のケース３７では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１５９】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１６０】
また、ρｂ／ρａを１１／４とした場合、ＭＩＭＯ方式時およびダイバーシティ方式時、ρａは０［ｄＢ］となり、ρｂ／ρａを５／２とした場合、ＭＩＭＯ方式時およびダイバーシティ方式時、ρａは−３［ｄＢ］となり、ρｂ／ρａを９／４とした場合、ＭＩＭＯ方式時およびダイバーシティ方式時、ρａは−４．７７［ｄＢ］となり、ρｂ／ρａを２とした場合、ＭＩＭＯ方式時およびダイバーシティ方式時、ρａは−６［ｄＢ］となる。
【０１６１】
また、図５のケース３８では、ＭＩＭＯ方式時、基地局装置毎に定められる参照信号と移動局装置毎に定められる参照信号とが含まれるＯＦＤＭシンボルにおいて、各アンテナから送信されるデータ信号の数を４とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１６２】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは１となる。
【０１６３】
また、ρｂ／ρａを５／２とした場合、ＭＩＭＯ方式時およびダイバーシティ方式時、ρａは０［ｄＢ］となり、ρｂ／ρａを２とした場合、ＭＩＭＯ方式時およびダイバーシティ方式時、ρａは−３［ｄＢ］となり、ρｂ／ρａを３／２とした場合、ＭＩＭＯ方式時およびダイバーシティ方式時、ρａは−４．７７［ｄＢ］となり、ρｂ／ρａを１とした場合、ＭＩＭＯ方式時およびダイバーシティ方式時、ρａは−６［ｄＢ］となる。
【０１６４】
また、図５のケース３９では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を１とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１６５】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは１１／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは９／２となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは４となる。
【０１６６】
また、ρｂ／ρａを１１／２とした場合、ＭＩＭＯ方式時およびダイバーシティ方式時、ρａは０［ｄＢ］となり、ρｂ／ρａを５とした場合、ＭＩＭＯ方式時およびダイバーシティ方式時、ρａは−３［ｄＢ］となり、ρｂ／ρａを９／２とした場合、ＭＩＭＯ方式時およびダイバーシティ方式時、ρａは−４．７７［ｄＢ］となり、ρｂ／ρａを４とした場合、ＭＩＭＯ方式時およびダイバーシティ方式時、ρａは−６［ｄＢ］となる。
【０１６７】
また、図５のケース４０では、ＭＩＭＯ方式時、基地局装置毎に定められる参照信号と移動局装置毎に定められる参照信号とが含まれるＯＦＤＭシンボルにおいて、各アンテナから送信されるデータ信号の数を２とし、基地局装置毎に定められる参照信号と移動局装置毎に定められる参照信号とが含まれるＯＦＤＭシンボルにおいて、基地局装置毎に定められる参照信号と移動局装置毎に定められる参照信号とを送信するアンテナから送信される基地局装置毎に定められる参照信号と移動局装置毎に定められる参照信号との数を２とし、ダイバーシティ方式時、基地局装置毎に定められる参照信号と移動局装置毎に定められる参照信号とを含まないＯＦＤＭシンボルにおいて、各アンテナから送信されるデータ信号の数を１２としている。
【０１６８】
よって、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力と同一とした場合、ρｂ／ρａは５となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より３[ｄＢ]上げた場合、ρｂ／ρａは４となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より４．７７［ｄＢ］上げた場合、ρｂ／ρａは３となり、ＭＩＭＯ方式時、基地局装置毎に定められる参照信号の電力と移動局装置毎に定められる参照信号の電力を、基地局装置毎に定められる参照信号と移動局装置毎に定められる参照信号とを含まないＯＦＤＭシンボル内のデータ信号の電力より６［ｄＢ］上げた場合、ρｂ／ρａは２となる。
【０１６９】
また、ρｂ／ρａを５とした場合、ＭＩＭＯ方式時およびダイバーシティ方式時、ρａは０［ｄＢ］となり、ρｂ／ρａを４とした場合、ＭＩＭＯ方式時およびダイバーシティ方式時、ρａは−３［ｄＢ］となり、ρｂ／ρａを３とした場合、ＭＩＭＯ方式時およびダイバーシティ方式時、ρａは−４．７７［ｄＢ］となり、ρｂ／ρａを２とした場合、ＭＩＭＯ方式時およびダイバーシティ方式時、ρａは−６［ｄＢ］となる。
【０１７０】
次に、この基地局装置毎に定められる参照信号の電力と移動局装置毎に定められる参照信号の電力とコントロール信号の電力とデータ信号の電力との調整がなされたリソースブロックが送信部（１０ｃ−３）に出力される。
【０１７１】
送信部（１０ｃ−３）では、入力されたリソースブロックがアンテナ（１０ｃ−４）を介して移動局装置（２００ａ）に送信される。これは、信号処理装置（１０ｃ）では、リソースブロックがアンテナ（１０ｃ−４）を介して移動局装置（２００ａ）に送信されるということと同義である。
【０１７２】
同様に、信号処理装置（１１ｃ）では、リソースブロックがアンテナ（１１ｃ−４）を介して移動局装置（２００ａ）に送信され、信号処理装置（１２ｃ）では、リソースブロックがアンテナ（１２ｃ−４）を介して移動局装置（２００ａ）に送信され、信号処理装置（１３ｃ）では、リソースブロックがアンテナ（１３ｃ−４）を介して移動局装置（２００ａ）に送信され、信号処理装置（１４ｃ）では、リソースブロックがアンテナ（１４ｃ−４）を介して移動局装置（２００ａ）に送信され、信号処理装置（１５ｃ）では、リソースブロックがアンテナ（１５ｃ−４）を介して移動局装置（２００ａ）に送信され、信号処理装置（１６ｃ）では、リソースブロックがアンテナ（１６ｃ−４）を介して移動局装置（２００ａ）に送信され、信号処理装置（１７ｃ）では、リソースブロックがアンテナ（１７ｃ−４）を介して移動局装置（２００ａ）に送信される。
【０１７３】
次に、図６に示す移動局装置（２００ａ）について説明する。
【０１７４】
図６に示すように、本実施形態による移動局装置（２００ａ）は、アンテナ（２０ａ−１）とアンテナ（２１ａ−１）とアンテナ（２２ａ−１）とアンテナ（２３ａ−１）とアンテナ（２４ａ−１）とアンテナ（２５ａ−１）とアンテナ（２６ａ−１）とアンテナ（２７ａ−１）と、受信部（２０ａ−２）と受信部（２１ａ−２）と受信部（２２ａ−２）と受信部（２３ａ−２）と受信部（２４ａ−２）と受信部（２５ａ−２）と受信部（２６ａ−２）と受信部（２７ａ−２）と、重み制御部（２０ｂ）と、復調部（２０ａ−３）と、を有している。
【０１７５】
受信部（２０ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２０ａ−１）を介して受信され、受信されたリソースブロックが、重み制御部（２０ｂ）と復調部（２０ａ−３）とに出力される。同様に、受信部（２１ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２１ａ−１）を介して受信され、受信されたリソースブロックが、重み制御部（２０ｂ）と復調部（２０ａ−３）とに出力され、受信部（２２ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２２ａ−１）を介して受信され、受信されたリソースブロックが、重み制御部（２０ｂ）と復調部（２０ａ−３）とに出力され、受信部（２３ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２３ａ−１）を介して受信され、受信されたリソースブロックが、重み制御部（２０ｂ）と復調部（２０ａ−３）とに出力され、受信部（２４ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２４ａ−１）を介して受信され、受信されたリソースブロックが、重み制御部（２０ｂ）と復調部（２０ａ−３）とに出力され、受信部（２５ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２５ａ−１）を介して受信され、受信されたリソースブロックが、重み制御部（２０ｂ）と復調部（２０ａ−３）とに出力され、受信部（２６ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２６ａ−１）を介して受信され、受信されたリソースブロックが、重み制御部（２０ｂ）と復調部（２０ａ−３）とに出力され、受信部（２７ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２７ａ−１）を介して受信され、受信されたリソースブロックが、重み制御部（２０ｂ）と復調部（２０ａ−３）とに出力される。
【０１７６】
重み制御部（２０ｂ）でははじめに、基地局装置（１００ａ）で適用された信号配置パターンに基づいて、入力されたリソースブロックに配置される基地局装置毎に定められる参照信号と移動局装置毎に定められる参照信号とが取得される。
【０１７７】
次に、取得された基地局装置毎に定められる参照信号と移動局装置毎に定められる参照信号とに基づいて、基地局装置（１００ａ）のアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）と移動局装置間（２００ａ）のアンテナ（２０ａ−１）とアンテナ（２１ａ−１）とアンテナ（２２ａ−１）とアンテナ（２３ａ−１）とアンテナ（２４ａ−１）とアンテナ（２５ａ−１）とアンテナ（２６ａ−１）とアンテナ（２７ａ−１）との間のチャネル推定をおこない、この推定されたチャネル特性と、基地局装置（１００ａ）で適用された電力調整パターンとに基づいて、復調部（２０ａ−３）でコントロール信号とデータ信号とに適用する重みが算出される。
【０１７８】
復調部（２０ａ−３）では、基地局装置（１００ａ）で適用された信号配置パターンと、重み制御部（２０ｂ）から出力される重みとに基づいて、リソースブロックに配置されているコントロール信号とデータ信号とを取得する。
【０１７９】
また、リソースブロックには、基地局装置から、その基地局装置がカバーするセルに在圏するすべての移動局装置に対して共通の情報を報知するためのブロードキャストチャネルを含むものがある。上述のρｂ／ρａもしくはρｂ／ρａを指し示すインデックスは、基地局装置毎に定められ、基地局装置から、このブロードキャストチャネルを用いて報知される。さらに、ρａもしくはρａを指し示すインデックスは、移動局装置毎に定められ、コントロール信号のように各移動局装置に対して特有の情報を報知するためのユニキャストチャンネルを用いて報知される。
【０１８０】
第１の実施形態では、８アンテナを備える基地局装置において、図５に示されるいずれかの信号配置パターンに基づき、リソースブロックに対して、基地局装置毎に定められる参照信号と移動局装置毎に定められる参照信号とデータ信号とを配置し、電力調整パターンに基づいて基地局装置毎に定められる参照信号の電力と移動局装置毎に定められる参照信号の電力とコントロール信号の電力とデータ信号の電力とを調整する。また、基地局装置（１００ａ）と移動局装置（２００ａ）とがその信号配置パターンと電力調整パターンとを共有していることを想定している。
【０１８１】
これにより、８アンテナを備える基地局装置において、セルカバレッジ調整およびチャネル推定精度を改善することができる。
【０１８２】
（第２の実施形態）
第２の実施形態では、第１の実施形態で示される基地局装置（１００ａ）と移動局装置（２００ａ）と信号配置パターンと電力配置パターンとを用いる。
【０１８３】
第１の実施形態では、基地局装置毎に定められる参照信号と移動局装置毎に定められる参照信号とが含まれるＯＦＤＭシンボル内のコントロール信号の電力とデータ信号の電力とは同一とするとしていた。
【０１８４】
一方、第２の実施形態では、サブキャリアあたりの電力が常に一定となるように、基地局装置毎に定められる参照信号と移動局装置毎に定められる参照信号とが含まれるＯＦＤＭシンボルにおける基地局装置毎に定められる参照信号と移動局装置毎に定められる参照信号とを送信しないアンテナから送信されるコントロール信号の電力とデータ信号の電力とを調整する。
【０１８５】
このようにすることで、第１の実施形態よりダイバーシティ効果を改善することができるため、スループットなどが改善される。さらに、非特許文献２と比較して、基地局装置毎に定められる参照信号と移動局装置毎に定められる参照信号とが含まれるＯＦＤＭシンボルの電力が、常に非特許文献１における基地局装置毎に定められる参照信号と移動局装置毎に定められる参照信号を含むＯＦＤＭシンボルのサブキャリアあたりの最大電力を越えないため、マルチセル間での干渉を原因とした特性劣化はない。
【０１８６】
また、基地局装置毎に定められる参照信号と移動局装置毎に定められる参照信号とが含まれるＯＦＤＭシンボルにおける基地局装置毎に定められる参照信号と移動局装置毎に定められる参照信号とを送信しないアンテナから送信されるコントロール信号の電力とデータ信号との電力については、基地局装置から移動局装置に対して報知されるρｂ／ρａから推定したものでも良いし、基地局装置毎に定められる参照信号と移動局装置毎に定められる参照信号とが含まれるＯＦＤＭシンボルにおける基地局装置毎に定められる参照信号と移動局装置毎に定められる参照信号とを送信しないアンテナから送信されるコントロール信号の電力とデータ信号との電力を。基地局装置毎に定められる参照信号と移動局装置毎に定められる参照信号とを含まないＯＦＤＭシンボル内のコントロール信号の電力とデータ信号の電力とで除した値、もしくはそのインデックスを基地局装置毎に設定し、基地局装置毎に報知しても良い。
【０１８７】
（第３の実施形態）
第３の実施形態では、第１の実施形態で示される基地局装置（１００ａ）と移動局装置（２００ａ）と信号配置パターンと電力調整パターンとを用いる。
【０１８８】
第１の実施形態では、基地局装置毎に定められる参照信号と移動局装置毎に定められる参照信号とは、サブキャリアあたり１アンテナのみからの送信としていた。
【０１８９】
第３の実施形態では、基地局装置毎に定められる参照信号と移動局装置毎に定められる参照信号が、サブキャリアあたり２アンテナからの送信とする第１種参照信号と、１アンテナのみからの送信とする第２種参照信号の２種類ある場合を対象とする。
【０１９０】
第３の実施形態では、基地局装置毎に定められる参照信号と移動局装置毎に定められる参照信号とを含まないＯＦＤＭシンボル内のデータ信号の電力を第１種参照信号の電力で除したものをρａとし、基地局装置毎に定められる参照信号と移動局装置毎に定められる参照信号とを送信するアンテナから送信されるデータ信号の電力を第１種参照信号の電力で除したものをρｂとしている。
【０１９１】
また、第２種参照信号の電力は第１種参照信号の電力の２倍としている。これは、第１の実施形態では第２種参照信号のみを用いるとしているが、第３の実施形態のように、第１種参照信号と第２種参照信号とを併用する場合でも、第１種参照信号の電力と第２種参照信号の電力との関係を固定としておくことにより、第１種参照信号の電力とデータ信号の電力との関係を報知する必要がないため、データ信号の電力の報知の量は第１の実施形態と同一となるという特徴と、移動局装置で測定される第１種参照信号の電力と第２種参照信号の電力とが等しいという特徴を有するためである。
【０１９２】
このようにすることにより、第１種参照信号を用いたチャネル推定をおこなう必要のあるダイバーシティ効果の高いダイバーシティ方式を適用した場合においても、データ信号の電力を報知する量が増えない。
【０１９３】
（第４の実施形態）
第４の実施形態では、第１の実施形態で示される基地局装置（１００ａ）と移動局装置（２００ａ）と信号配置パターンと電力調整パターンとを用いる。
【０１９４】
第４の実施形態では、サブキャリアあたりの電力が常に一定となるように、基地局装置毎に定められる参照信号と移動局装置毎に定められる参照信号とが含まれるＯＦＤＭシンボルにおける基地局装置毎に定められる参照信号と移動局装置毎に定められる参照信号とを送信しないアンテナから送信されるコントロール信号の電力とデータ信号の電力とを調整する場合、かつ基地局装置毎に定められる参照信号と移動局装置毎に定められる参照信号が、サブキャリアあたり２アンテナからの送信とする第１種参照信号と、１アンテナのみからの送信とする第２種参照信号の２種類ある場合を対象とする。
【０１９５】
第４の実施形態では、第２の実施形態および第３の実施形態よりも、ダイバーシティ効果が改善される上、データ信号の電力を報知する量は第１の実施形態と同一とできる利点がある。
【０１９６】
また、本明細書で説明した各実施形態において、リソースブロック内に上述の信号配置パターンと電力調整パターンとが複数適用される場合、これらの複数の電力調整パターンに係るρｂ／ρａもしくはρｂ／ρａを指し示すインデックスとρａもしくはρａを指し示すインデックスとが基地局装置から移動局装置に対して過不足なく報知されるものとする。
【０１９７】
例えば、リソースブロックに図５のケース１とケース２とが混在する場合、一部のＯＦＤＭシンボルに対して、ケース１の信号配置パターンと電力配置パターンとが適用され、他のＯＦＤＭシンボルに対して、ケース２の信号配置パターンと電力調整パターンとが適用され、さらに、ケース１のρｂ／ρａもしくはρｂ／ρａを指し示すインデックスとρａもしくはρａを指し示すインデックスとケース２のρｂ／ρａもしくはρｂ／ρａを指し示すインデックスとρａもしくはρａを指し示すインデックスとが基地局装置から移動局装置に対して過不足なく報知される。
【０１９８】
具体的には、ρｂ／ρａとして、ケース１の１０／９とケース２の１とが報知された場合、ＭＩＭＯ方式時、ρａとして０［ｄＢ］が報知され、ダイバーシティ方式時、ρａとして３［ｄＢ］が報知され、ρｂ／ρａとして、ケース１の１とケース２の４／５とが報知された場合、ＭＩＭＯ方式時、ρａとして−３［ｄＢ］が報知され、ダイバーシティ方式時、ρａとして０［ｄＢ］が報知され、ρｂ／ρａとして、ケース１の８／９とケース２の３／５とが報知された場合、ＭＩＭＯ方式時、ρａとして−４．７７［ｄＢ］が報知され、ダイバーシティ方式時、ρａとして−１．７７［ｄＢ］が報知され、ρｂ／ρａとして、ケース１の４／５とケース２の２／５とが報知された場合、ＭＩＭＯ方式時、ρａとして−６［ｄＢ］が報知し、ダイバーシティ方式時、ρａとして−３［ｄＢ］が報知される。
【０１９９】
また、本明細書で説明した各実施形態には、複数の信号配置パターンと電力調整パターンとが示されているが、これらは一例であり、これらに類似した信号配置パターンと電力調整パターンも本発明の範囲に含まれるものである。
【０２００】
また、本明細書で説明した各実施形態内の、移動局装置毎に定められる参照信号は、基地局装置毎に定められる参照信号と変更してもかまわない。これは、基地局装置毎に定められる参照信号は、常に基地局装置が送信している参照信号であり、移動局装置毎に定められる参照信号は、特定の移動局装置のために送信している参照信号であるため、特定の移動局装置のために送信する参照信号を常に基地局装置が送信する参照信号としても良いことと同義である。
【０２０１】
また、本実施形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【０２０２】
また、本実施形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０２０３】
また、「コンピュータシステム」は、ＷＷＷシステムを利用している場合であれば、ホームページ提供環境（あるいは表示環境）も含むものとする。
【０２０４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【０２０５】
本発明は、通信装置に利用可能である。
【図１】
2010087075.tif 000003
【図２】
2010087075.tif 000004
【図３】
2010087075.tif 000005
【図４】
2010087075.tif 000006
【図５】
2010087075.tif 000007
【図６】
2010087075.tif 000008
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
８アンテナを備える基地局装置と、１アンテナもしくは複数のアンテナを備える移動局装置と、を有する通信システムであって、
前記基地局装置は、
リソースブロックに対する前記基地局装置毎に定められる参照信号の配置と前記移動局装置毎に定められる参照信号の配置とコントロール信号の配置とデータ信号の配置とについて示される信号配置パターンに基づいて、前記基地局装置毎に定められる参照信号と前記移動局装置毎に定められる参照信号とコントロール信号とデータ信号とをリソースブロックに配置する信号配置部と、
前記基地局装置毎に定められる参照信号の電力と前記移動局装置毎に定められる参照信号の電力とコントロール信号の電力とデータ信号の電力とについて示される電力調整パターンに基づいて、前記基地局装置毎に定められる参照信号の電力と前記移動局装置毎に定められる参照信号の電力とコントロール信号の電力とデータ信号の電力とを調整する電力調整部と、
リソースブロックを前記移動局装置に送信する送信部と、
を備え、
前記移動局装置は、
前記基地局装置から送信されたリソースブロックを受信する受信部と、
前記基地局装置毎に定められる参照信号と前記移動局装置毎に定められる参照信号とから算出されるチャネル特性と電力調整パターンとに基づいて、復調のための重みを算出する重み算出部と、
算出された重みに基づいて、コントロール信号とデータ信号とを復調する復調部と、
を備えることを特徴とする通信システム。
【請求項２】
前記電力調整部において、コントロール信号の電力とデータ信号の電力とは、ＯＦＤＭシンボル毎に一定とすることを特徴とする請求項１に記載の通信システム。
【請求項３】
前記電力調整部において、前記基地局装置毎に定められる参照信号と前記移動局装置毎に定められる参照信号との送信に用いるサブキャリアの電力は一定とすることを特徴とする請求項１または２に記載の通信システム。
【請求項４】
前記電力調整部において、前記基地局装置毎に定められる参照信号と前記移動局装置毎に定められる参照信号とが含まれるＯＦＤＭシンボルにおいて、前記基地局装置毎に定められる参照信号と前記移動局装置毎に定められる参照信号とを送信するアンテナの送信電力と、前記基地局装置毎に定められる参照信号と前記移動局装置毎に定められる参照信号とを含まないＯＦＤＭシンボルにおける各アンテナの送信電力と、は等しいことを特徴とする請求項１から３までのいずれか１項に記載の通信システム。
【請求項５】
前記電力調整部において、前記基地局装置毎に定められる参照信号の電力と前記移動局装置毎に定められる参照信号の電力との変化に応じて、前記基地局装置毎に定められる参照信号と前記移動局装置毎に定められる参照信号とが含まれるＯＦＤＭシンボル内のコントロール信号の電力とデータ信号の電力とを変化させることを特徴とする請求項１から４までのいずれか１項に記載の通信システム。
【請求項６】
前記電力調整部において、基地局装置毎に定められる参照信号と移動局装置毎に定められる参照信号とが含まれるＯＦＤＭシンボルにおいて、コントロール信号とデータ信号との送信に用いるサブキャリアの電力が一定となるよう、基地局装置毎に定められる参照信号と移動局装置毎に定められる参照信号とを送信しないアンテナから送信されるコントロール信号の電力とデータ信号の電力とを調整することを特徴とする請求項１から請求項５までのいずれか１項に記載の通信システム。
【請求項７】
前記信号配置部において、１アンテナもしくは複数のアンテナから同時に、同一のサブキャリアを用いて前記基地局装置毎に定められる参照信号と前記移動局装置毎に定められる参照信号とが送信されることを特徴とする請求項１から６までのいずれか１項に記載の通信システム。
【請求項８】
請求項１から７までのいずれか１項に記載の通信システムにおける基地局装置であって、前記基地局装置毎に定められる参照信号と前記移動局装置毎に定められる参照信号とが含まれるＯＦＤＭシンボル内のデータ信号の電力と、前記基地局装置毎に定められる参照信号と前記移動局装置毎に定められる参照信号とを含まないＯＦＤＭシンボル内のデータ信号の電力との比を、前記基地局装置毎に定められる値として前記移動局装置に報知することを特徴とする基地局装置。
【請求項９】
請求項１から７までのいずれか１項に記載の通信システムにおける基地局装置であって、前記基地局装置毎に定められる参照信号の電力と、前記基地局装置毎に定められる参照信号と前記移動局装置毎に定められる参照信号とを含まないＯＦＤＭシンボル内のデータ信号の電力との比を、前記移動局装置毎に定められる値として前記移動局装置に報知することを特徴とする基地局装置。
【請求項１０】
請求項１から７までのいずれか１項に記載の通信システムにおける基地局装置であって、前記基地局装置毎に定められる参照信号と前記移動局装置毎に定められる参照信号とが含まれるＯＦＤＭシンボル内のデータ信号の電力と、前記基地局装置毎に定められる参照信号と前記移動局装置毎に定められる参照信号とを含まないＯＦＤＭシンボル内のデータ信号の電力との比を、前記基地局装置毎に定められる値として前記移動局装置に報知することを特徴とする基地局装置。
【請求項１１】
８アンテナを備える基地局装置における通信方法であって、
リソースブロックに対する前記基地局装置毎に定められる参照信号の配置と前記移動局装置毎に定められる参照信号の配置とコントロール信号の配置とデータ信号の配置とについて示される信号配置パターンに基づいて、前記基地局装置毎に定められる参照信号と前記移動局装置毎に定められる参照信号とコントロール信号とデータ信号とをリソースブロックに配置する第１のステップと、
前記基地局装置毎に定められる参照信号の電力と前記移動局装置毎に定められる参照信号の電力とコントロール信号の電力とデータ信号の電力とについて示される電力調整パターンに基づいて、前記基地局装置毎に定められる参照信号の電力と前記移動局装置毎に定められる参照信号の電力とコントロール信号の電力とデータ信号の電力とを調整する第２のステップと、
リソースブロックを前記移動局装置に送信する第３のステップと、
を備えることを特徴とする通信方法。
【国際調査報告】
2010087075.tif 000009
2010087075.tif 000010
2010087075.tif 000011
2010087075.tif 000012